(57)【要約】      （修正有）【課題】携帯端末による通信機能を利用してオフライン自動販売機にオンライン商品管理機能を持たせることができる組み合わせ構造を提供する。【解決手段】オフライン形式の自動販売機に商品の購入により有効化するリーダー２４を付設し、自動販売機のマスターボックスＭＢと接続する。携帯端末１００による無線通信機能を利用して自動販売機２０の商品購入情報を管理サーバー５０に送信する。【選択図】図１
0003161172.tif 000002
【実用新案登録請求の範囲】
【請求項１】
非接触通信機能を搭載し、インターネットを介して特定のサーバーと無線通信可能な携帯端末と、オフライン自動販売機にユーザーが商品を購入する毎に一定時間有効となるリーダーを搭載し、オフライン自動販売機が備えるマスターボックスに連結した組み合わせからなり、
ユーザーが自動販売機から商品を購入することにより前記リーダーを有効化する機能により、ユーザーが携帯端末を有効化した自動販売機の前記リーダーに近付けて携帯ＩＤを送信すると、自動販売機の前記リーダーは携帯端末に、少なくとも商品購入情報及び購入時間情報とリーダーＩＤ及び携帯ＩＤを含むサーバーアドレスを送信できるようにしたことを特徴とするオフライン自動販売機と無線通信可能な携帯端末との組み合わせ構造。
【請求項２】
オフライン自動販売機からの商品購入者の携帯端末から管理サーバーへの通信を促す、ポイント付与を通知を行う目視表示または音声通知を行わせる機能をオフライン自動販売機に付与する請求項１記載の組み合わせ構造。
【考案の詳細な説明】
【技術分野】
【０００１】
本考案は、オフライン自動販売機に非接触通信機能を搭載した携帯端末とを組み合わせ携帯端末の無線通信機能を利用して自動販売機のオンライン商品管理を行う組み合わせに関する。
【背景技術】
【０００２】
近年、非接触通信機能を用いた電子マネーが普及してきており、携帯電話端末などの携帯端末にもその機能が搭載された機種が販売されている。
【０００３】
一方、飲み物その他を販売する自動販売機において、電子マネーを用いた代金決済が行える機器が出現し、このような電子マネーによる決済機能を備えた自動販売機については例えば特許文献１，２に開示されている。
【先行技術文献】
【特許文献】
【０００４】
【特許文献１】特開２００３−３０７２５号公報
【特許文献２】特開２００５−１６５７６４号公報
【考案の概要】
【考案が解決しようとする課題】
【０００５】
このような電子マネーによる決済機能を持つ自動販売機では通信機能を持つ必要があるが、既に多くの設置された自動販売機は通信機能を備えず、かかる現状にあっては、オンライン自動販売機に入れ替え又は改善することは困難である。
【０００６】
本考案はこのような背景において、オフラインの既設の自動販売機であっても非接触通信機能を搭載した携帯端末の無線通信機能を利用することによりオンラインシステムを構築することができる組み合わせを企図するものである。
【課題を解決するための手段】
【０００７】
本考案は、非接触通信機能を搭載し、インターネットを介して特定のサーバーと無線通信可能な携帯端末と、オフライン自動販売機にユーザーが商品を購入する毎に一定時間有効となるリーダーを搭載し、オフライン自動販売機が備えるマスターボックスに連結した組み合わせ構成であって、
ユーザーが自動販売機から商品を購入することにより前記リーダーを有効化する機能により、ユーザーが携帯端末を有効化した自動販売機の前記リーダーに近付けて携帯ＩＤを送信すると、自動販売機の前記リーダーは携帯端末に、少なくとも商品購入情報及び購入時間情報とリーダーＩＤ及び携帯ＩＤを含むサーバーアドレスとを送信できるようにした、オフライン自動販売機と非接触通信機能を有する無線通信可能な携帯端末との組み合わせ構成にある。
【考案の効果】
【０００８】
本考案によれば、自動販売機がオフライン形式のものであっても商品の購入により有効化するリーダーを付設し、自動販売機のマスターボックスと接続することにより、携帯端末に商品管理に必要な情報を送信し、この携帯端末の無線通信機能を利用して自動販売機から商品情報を管理サーバーに送信できるシステムを構築することができる。これにより、既存の自動販売機は通信システムを備えずとも携帯端末を介して、既設オフライン自動販売機に管理サーバーとの通信を行わせ、安価なコストで高価なオンライン商品管理機能を持たせる。
【０００９】
オフライン自動販売機からの商品購入者の携帯端末から管理サーバーへの通信を促すために、商品購入に伴い、ポイントを付与する通知を行う目視表示または音声通知を行わせる機能を付与すると、商品購入者のポイント付与請求により商品購入者の携帯端末の無線通信機能をできるだけ多く利用できるので、オフラインの自動販売機の機能をオンライン機能に近づけることができる。
【図面の簡単な説明】
【００１０】
【図１】本考案の実施の形態による自動販売システムの全体の構成例を示す図である。
【図２】本考案で用いる非接触通信機能搭載携帯端末のブロック構成図である。
【図３】本考案の自動販売機からの商品購入時の処理手順の一例を示すフローチャートである。
【考案を実施するための形態】
【００１１】
以下、本考案の好適な実施の形態について詳細に説明する。
【００１２】
図１は、本実施の形態による自動販売システムの全体の構成例を示している。
【００１３】
このシステムは、自動販売機２０と、携帯電話等の携帯端末１００と、通信ネットワーク４０上のサーバー５０とを含む。通信ネットワーク４０はインターネットや他の任意のネットワークをいう。自動販売機２０は、非接触通信のリーダー２４を内蔵し、所定の商品を購入することにより一定時間有効化するように制御される。携帯端末１００は基地局３０を介して通信ネットワーク４０に接続される。サーバー５０は、携帯端末からの通信情報を受け、本考案における商品情報及びポイント情報を管理する。
【００１４】
携帯端末１００の相手機器であるオフライン自動販売機２０の前面には、通常販売対象の個々の商品の商品見本２１と、これに対応した選択ボタン（選択操作部）２２が複数組配置されている。本考案では別途、自動販売機２０には適宜商品購入によるポイント付与を目視的に明示するか、商品購入に伴い音声通知でキャンペーン参加を呼び掛け、携帯端末から管理サーバーへの接続頻度を向上させる。自動販売機２０は、非接触通信のアンテナ機能部２４aを備えるリーダー２４を内蔵し、該リーダー２４は自動販売機２０を制御しているマスターボックスＭＢと接続しており、携帯端末１００の非接触通信部１２０をかざす部分がアンテナ機能部２４ａに相当する。商品を購入すると所定時間リーダー２４は有効化され、携帯端末１００の非接触通信部１２０との間でコマンドやデータを授受するようになっている。ここでは、携帯端末１００をリーダー２４にかざすと、携帯ＩＤがリーダー２４に送信され、リーダー２４からは購入商品情報および購入時間情報と携帯ＩＤ及びリーダーＩＤを含むサーバーアドレスが携帯端末１００に送信されるようになっている。
【００１５】
なお、自動販売機は、商品の価格等の情報の表示部２３、商品取り出し口２５、紙幣挿入口２６、硬貨投入口２７、おつり返却レバー２８、おつり返却口２９が配置されている。
【００１６】図２はいわゆる非接触通信機能（例えば、（公序良俗違反につき、不掲載）機能）を備えた一般の携帯端末のブロック図で、この携帯端末１００は、制御部１０５を中心とし、これに対してデジタル信号処理部１０３、表示部１０６、操作部１０７、外部Ｉ／Ｆ部１０８、振動部（バイブレータ）１０９、ＲＴＣ（Real Time Clock）１１０、非接触通信部１２０が接続されて構成される。
【００１７】
非接触通信部１２０は、携帯端末１００に対して非接触通信機能を付与する部位であり、通信制御部１２１とメモリ１２２とアンテナ１２３を含む。
【００１８】
制御部１０５は、携帯端末１００の機能を実現する主要部であり、ＣＰＵ、ＥＥＰＲＯＭ、Ｆｌａｓｈ、ＲＯＭ、ＲＡＭ、等を含む。制御部１０５は、本実施の形態では、さらに非接触通信部１２０との間でコマンドやデータの授受を行うためのカードインタフェースモジュールを含む。カードインタフェースモジュールは、制御部１０５の一部として組み込まれたソフトウェアモジュールである。
【００１９】
デジタル信号処理部１０３は、マイク１１５を接続した音声入力部１０１、スピーカ１１６を接続した音声出力部１０２、アンテナ１１２を接続したＲＦ入出力部１０４とがそれぞれ接続され、デジタル音声信号等のエンコード、および、デジタル音声信号等へのデコード等を行う。音声入力部１０１は、マイク１１５からのアナログ音声信号をデジタル信号に変換し、マイクアンプ、フィルタ、Ａ／Ｄ変換器、等で構成される。音声出力部１０２は、受信したデジタル音声信号をスピーカ駆動し、Ｄ／Ａ変換器、フィルタ、スピーカアンプ、等で構成される。ＲＦ入出力部１０４は、基地局との間で高周波送受信を行う。
【００２０】
表示部１０６は、ユーザに対して情報を表示出力し、ＬＣＤドライバ、ＬＣＤ表示デバイス、等で構成される。操作部１０７は、ユーザが携帯端末１００に対して操作情報を入力するため、キーボード、ジョグダイヤル等で構成される。外部Ｉ／Ｆ部１０８は、外部装置との間のインタフェースを提供し、通信インタフェース回路等を含む。
【００２１】
非接触通信部１２０は、制御部１０５のカードインタフェースモジュールと接続され、内部に専用の通信制御部１２１、データやプログラム等を保持する不揮発性メモリであるメモリ１２２等を備える。非接触通信部１２０は、非接触通信の無線通信のためのアンテナ１２３を介してリーダー２４との間でデータ等の授受を行う。
【００２２】
図３は、本実施の形態における自動販売機２０の処理手順の一例を示したフローチャートである。
【００２３】
自動販売機２０は、入金されると待機状態から販売状態となり、商品が選択され、決済されると、商品取り出し口２５に商品の排出（商品提供）を行うとともにリーダー２４が有効化され、図示しないマスターボックスからコラム購入商品情報と購入時間情報を受ける。
【００２４】
携帯端末１００は、外部から非接触通信部１２０へのアクセスがあったとき、すなわち、携帯端末１００が自動販売機２０のリーダー２４に接近したとき、リーダー２４は携帯端末１００から携帯ＩＤを受信し、リーダー２４から携帯端末１００に購入商品情報、自動販売機のリーダーＩＤ、購入時間情報、携帯端末ＩＤを暗号化してサーバーアドレスに付加して、受信する。リーダー２４は前記情報の送信後無効化するようにしてもよい。リーダー２４から送信されるデータは購入者に誤りなく商品の購入ポイントを付与するに必要なデータ、少なくとも購入商品情報、購入時間情報、携帯ＩＤ、リーダーＩＤを暗号化してサーバーアドレスに付加して送信されればよいが、必要に応じてマスターボックスからコラム別購入数情報、売り切れ発生時には売り切れコラム情報を受け、付加することもできる。故障発生時には故障コードも付加して携帯端末を介して送信することができる。
【００２５】
次いで、携帯端末１００のブラウザを起動し、無線通信機能を利用してインターネットを介して管理サーバー５０と接続する。管理サーバー５０は待機状態にあり、携帯端末１００からの暗号データを受けてこれを復号化し、データが不正か否かを判別し、不正データであるとエラー情報を送信し、不正でない場合は次いで、同じリーダーからの連続ポイント請求かどうかを判別し、連続請求の場合はエラー情報を送信し、正当な請求であれば、ポイント付与に移り、ポイント集計とともにポイント取得結果情報を送信する。
【００２６】
携帯端末１００は上記管理サーバー５０からのポイント取得結果情報を受け、これを表示する。
【００２７】
以上の説明で明らかなように、本考案によれば、自動販売機に通信機能を持たせてオンライン状態にしなくてもオフライン状態で各自動販売機のリーダーを介して購入者の携帯端末と通信し、携帯端末の通信機能を利用して管理サーバーと接続することができる。携帯端末から管理サーバーへの接続を頻繁に行うことができるようにポイントを付与するのがよい。これにより、安価な費用で自動販売機にオンライン機能を持たせ、既設自動販売機にオンラインに近い商品管理を行えるようになるので、その実用的価値を格段に高めることができる。
【符号の説明】
【００２８】
２０…自動販売機、２４…リーダー、３０…基地局、４０…通信ネットワーク、５０…管理サーバー、１００…携帯端末、１２０…非接触通信部、ＭＢ
【図１】
0003161172.tif 000003
【図２】
0003161172.tif 000004
【図３】
0003161172.tif 000005